Podtech/llm-jp-corpus-v4-ja_patent huggingface dataset:
(57)【要約】      （修正有）【課題】  首や肩の筋肉の疲れを減らし、安全運転に貢献する車軸用座席ヘッドレスト首掛け枕の提供。【解決手段】  車両用座席シートの背もたれ１０３の上部にヘッドレスト部１０１を設け、ヘッドレスト部１０１に凸型の出っ張り部１０２を設ける。【効果】車両用座席シートにもたれ、更にヘッドレスト部に頭をもたれ、ヘッドレストの下部に設けた凸型の出っ張り部が後頭部の首の付け根にくるようにヘッドレスト部を上下に調整し、あごを持ち上げるようにすると、凸部の出っ張り部により頭部を少し持ち上げる応力が働き、首と肩にかかる筋肉の疲労を和らげて楽にし、居眠り事故の防止になる。【選択図】  図１
2005075333.tif 000002
【特許請求の範囲】
【請求項１】
車軸座席シート背もたれの後頭部用ヘッドレストであって、前記後頭部用ヘッドレストに凸型横長出張り部と、
を有することを特徴とする車軸用座席シートヘッドレスト首掛け枕。
【発明の詳細な説明】
【発明の詳細な説明】
【技術分野】  本発明は、車軸用座席シートヘッドレストに首掛け枕を装着取り付けに関する。
【背景技術】  従来の車軸用座席シートでは、走行中、ヘッドレスト部の硬さ等により路面から受けた衝撃を後頭部の後ろで受け止めていた。
【発明が解決しようとする課題】
これは次のような欠点があった。
（１）座席シート後頭部へ長時間もたれていると、走行中の振動が次第に後頭部に蓄積され、目の疲れ、集中力の低下、ストレス等の面で問題がある。
（２）特に車軸等を運転する人は、座席シートの後頭部へ長時間もたれることが無い為、首や肩の筋肉疲労が早く表れ、居眠り運転等を引き起こす要因となる。
この発明は、上述の点に着目して成されたものである。
【課題を解決するための手段】
本発明は、下記構成を備えることにより上記課題を解決できるものである。
（１）車軸座席シート背もたれの後頭部用ヘッドレストであって、
前記後頭部用ヘッドレストに凸型横長出張り部と、
を有することを特徴とする車軸用座席シートヘッドレスト首掛け枕。
【発明を実施するための最良の形態】  以下本発明に係る画像形成装置の実施の形態を説明する。
図１、図２は、本発明に係る実施例における車軸用座席の全体概略構成を示す模式図である。
以下、図面を参照して説明する。
車軸用座席シートの背もたれ１０３の上部にヘッドレスト部１０１を設け、ヘッドレスト部に凸型の横長出っ張り部１０２を設ける。
本発明は、以上のような構造で、これを使用するときは、車軸用座席シート１０３にもたれ、更にヘッドレスト部１０１に頭をもたれ、ヘッドレストの下部に設けた凸型の出っ張り部１０２が後頭部の首の付け根にくるようにヘッドレスト部１０１を上下に調整し、あごを持ち上げるようにすると、凸部の出っ張り部１０２により頭部を少し持ち上げる応力が働き、首と肩にかかる筋肉の疲労等を和らげて楽にし、居眠り事故等の防止になる。
【発明の効果】
以上説明してきたように、本発明によれば、車軸用座席シートヘッドレスト首掛け枕を利用することで、首や肩の筋肉の疲れを少しでも減らし、安全運転に貢献する。
【図面の簡単な説明】
【図１】  本発明に係る実施例における車軸用座席シートの斜視図
【図２】  車軸用座席シートの断面図
【符号の説明】
１０１  ヘッドレスト部
１０２  凸部の横長出っ張り部（首掛け枕）
１０３  車軸用座席シートの背もたれ
１０４  座席
２０５  すべり軸
【図１】
2005075333.tif 000003
【図２】
2005075333.tif 000004
【手続補正書】
【提出日】平成15年11月14日(2003.11.14)
【手続補正１】
【補正対象書類名】明細書
【補正対象項目名】全文
【補正方法】変更
【補正の内容】
【書類名】明細書    【発明の名称】車輌用座席シートヘッドレスト首掛け枕    【発明の詳細な説明】    【技術分野】  本発明は、車輌用座席シートヘッドレストに首掛け枕を装着取り付けに関する。    【背景技術】  従来の車輌用座席シートでは、走行中、ヘッドレスト部の硬さ等により路面から受けた衝撃を後頭部の後ろで受け止めていた。    【発明が解決しようとする課題】  これは次のような欠点があった。（１）座席シート後頭部へ長時間もたれていると、走行中の振動が次第に後頭部に蓄積され、目の疲れ、集中力の低下、ストレス等の面で問題がある。（２）特に車輌等を運転する人は、座席シートの後頭部へ長時間もたれることが無い為、首や肩の筋肉疲労が早く表れ、居眠り運転等を引き起こす要因となる。  この発明は、上述の点に着目して成されたものである。    【課題を解決するための手段】  本発明は、下記構成を備えることにより上記課題を解決できるものである。（１）車輌座席シート背もたれの後頭部用ヘッドレストであって、前記後頭部用ヘッドレストに凸型横長出っ張り部と、を有することを特徴とする車輌用座席シートヘッドレスト首掛け枕。    【発明を実施するための最良の形態】以下本発明に係る画像形成装置の実施の形態を説明する。図１、図２は、本発明に係る実施例における車輌用座席の全体概略構成を示す模式図である。  以下、図面を参照して説明する。車輌用座席シートの背もたれ１０３の上部にヘッドレスト部１０１を設け、ヘッドレスト部に凸型の横長出っ張り部１０２を設ける。  本発明は、以上のような構造で、これを使用するときは、車輌用座席シート１０３にもたれ、更にヘッドレスト部１０１に頭をもたれ、ヘッドレストの下部に設けた凸型の出っ張り部１０２が後頭部の首の付け根にくるようにヘッドレスト部１０１を上下に調整し、あごを持ち上げるようにすると、凸部の出っ張り部１０２により頭部を少し持ち上げる応力が働き、首と肩にかかる筋肉の疲労等を和らげて楽にし、居眠り事故等の防止になる。    【発明の効果】    以上説明してきたように、本発明によれば車輌用座席シートヘッドレスト首掛け枕を利用することで、首や肩の筋肉の疲れを少しでも減らし、安全運転に貢献する。    【図面の簡単な説明】    【図１】  本発明に係る実施例における車輌用座席シートの斜視図    【図２】車輌用座席シートの断面図    【符号の説明】    １０１  ヘッドレスト部    １０２  凸部の横長出っ張り部（首掛け枕）    １０３車輌用座席シートの背もたれ    １０４  座席    ２０５  すべり軸【手続補正３】
【補正対象書類名】特許請求の範囲
【補正対象項目名】全文
【補正方法】変更
【補正の内容】
【書類名】  特許請求の範囲    【請求項１】車輌座席シート背もたれの後頭部用ヘッドレストであって、前記後頭部用ヘッドレストに凸型横長出っ張り部と、を有することを特徴とする車輌用座席シートヘッドレスト首掛け枕。
(57)【要約】【課題】  複数で稼動していた自動車窓のワイパーを、一本だけでその目的を十分果せるようにして、運転者および同乗者の視界への妨げを少なくし、交通での安全向上を図った自動車窓用一本ワイパーの動力伝達装置の提供である。【解決手段】  問題解決のため、ワイパーの装着棒（４）が単に回転するのみでなく、基本棒（１）上を直線運動も与えることで、これに装着したワイパーの窓を拭く面積を大きくした。【選択図】図１
2005075334.tif 000002
【特許請求の範囲】
【請求項１】
基本棒（１）は長手方向に溝を有する管または棒で、回転棒（２）の一端と回転軸を有して結合する固定具（３）を備える。
回転棒（２）の他端は、一端付近にワイパーを装着する装着棒（４）と回転軸を有して接続する。
装着棒（４）は、回転棒（２）との接続部位からの距離が回転棒（２）の長さに等しい部位において、基本棒（１）の溝中または側面上を長手方向に自由に往復運動ができる滑体（５）と回転軸を有して連結する。
以上の構成からなる自動車窓用一本ワイパーの動力伝達装置。
【発明の詳細な説明】
【発明の詳細な説明】
【技術分野】
【０００１】  本発明は、
【請求項１】
に述べてあるような構成で、装着棒（４）の運動を通して、そこに取り付けられた一本のワイパー（６）だけの稼動で、自動車の窓を拭き取ることができるようした動力の伝達装置に関するものである。
【背景技術】
【０００２】  従来、自動車の前面窓の拭き取りに当たっては、それぞれがワイパーを装着した複数の装着棒が回転する動力伝達装置はあった。
【発明が解決しようとする課題】
【０００３】  従来、ワイパーの装着棒は回転運動をするのみであったので、次のような欠点があった。
＜ｉ＞窓が横長場合
（ア）ワイパーを二本のみならず三本も取り付ける車種があった。
そのため、二本または三本のワイパーが同時に稼動し、車の運転者や同乗者の視界に多くの妨げを与えていた。
（イ）ワイパーが回転運動をするだけなので、雨や雪に対する排除力は小さかった。
＜ｉｉ＞窓が縦長の場合
観光バスのように前面窓が縦長またはこれに近い場合、上部に相当部分の拭き残しを生じ、観光客等の視界を妨げることも多々あった。
本発明は、これらの欠点を除くためになされたものである。
【問題解決のための手段】
【０００４】  本装置には、図面の
【図１】
、
【図２】
に示すように、装着棒（４）における回転棒（２）および滑体（５）との接続、連結の位置関係によって、それぞれ横長窓用、縦長窓用の形態がある。
いずれの形態においても滑体（５）は、基本棒（１）上を回転棒（２）の長さの４倍以内の範囲で移動できるので、これに接続する装着棒（４）に回転運動以外に直線運動も加えることで、ワイパーの拭き取り面積を大きくした。
従って、
＜ｉ＞横長窓の場合、装置は
【図１】
に示す形態で、一本のワイパーのみで拭き取りをさせ、その上ワイパーには基本棒（１）の長手方向の運動も加えて雨や雪に対する排除力を増加させた。
＜ｉｉ＞縦長窓の場合、装置は
【図２】
に示す形態で、一本のワイパーのみの稼動で、窓上部の拭き残しを少なくした。
＜ｉ＞、＜ｉｉ＞いずれの場合でも取り付けるワイパーは一本なので、複数のワイパーを使用していたときに比べ、その稼動による運転者や同乗者の視界への妨げを少なくした。
【発明を実施するための最良の形態】
【０００５】  以下、実施の形態について説明をすると、本装置は
【請求項１】
および
【課題解決のための手段】
において述べた構成なので、基本棒（１）に備わる固定具（３）に、回転棒（２）の一端と回転軸を有して結合する。
回転棒（２）の他端は、回転軸を有して装着棒（４）と接続する。
装着棒（４）と滑体（５）との連結に当たっては、装着棒（４）における、連結部位と接続部位間の距離を、回転棒（２）の長さに等しくし取り、回転軸を有して連結する。
この連結に際しては、装着棒（４）上において
＜ｉ＞：窓が横長の場合
接続部位・連結部位・ワイパーの着装部位の順に、
＜ｉｉ＞：窓が縦長の場合
連結部位・接続部位・ワイパーの着装部位の順に、ワイパーの装着部に向けて各部位を配置する。
また、滑体（５）が安定した往復運動ができるように基本棒（１）に溝を設けた。
以上が本装置の構成である。
尚、本装置は滑体（５）が基本棒（１）上を往復運動することが肝要であるから、この運動を与える方策とし二、三の例を挙げる。
▲１▼：滑体（５）と揺動電動機をワイヤ等で結ぶ。
▲２▼：滑体（５）と基本棒（１）とに線形誘導電動機の構造を持たせる。
▲３▼：
【図３】
にあるように、一端を電動機の回転軸（７）に固定し、他端を桿（８）の一端と回転軸を有して連絡する腕（９）がある。
桿の他端は、回転棒（２）において固定具（３）からの距離が腕（９）の長さより大きい部位において、これも回転軸を有して連絡する。
桿（８）の長さは各部材が阻害なく運動できる長さにする。
更に、回転棒（２）と装着棒（４）が一直線状に重なるとき、この両棒が固定具（３）の有する回転軸の周りに同軸回転をするのを防止するために、回転棒（２）とともに固定具（３）を中心に回転する内側に歯を有する内歯歯車（１０）と、これに噛み合うピニオン（１１）を設け、滑体（５）にピニオン（１１）と噛み合うラック（１２）を備える。
このとき、電動機の回転軸（７）の回転が、滑体（５）に基本棒（１）上での往復運動を与える。
尚、固定具（３）は必ずしも滑体（５）の運動の中心である必要はない。
【発明の効果】
【０００６】  本発明は上述のような構成なので、自動車の前面窓を一本のワイパーで拭き取ることができ、運転者および同乗者の視界への妨げも少なく、交通の安全面上での効果大きい。
【図面の簡単な説明】
【図１】  横長窓用の本装置の平面図である。
【図２】  縦長窓用の本装置の平面図である。
【図３】  本装置と動力源との一関連例の平面図である。
【符号の説明】
１は基本棒、    ２は回転棒、      ３は固定具、      ４は装着棒、
５は滑体、    ６はワイパー、    ７は電動機の回転軸、    ８は桿、
９は腕、      １０は内歯歯車    １１はピニオン    １２はラック。
【図１】
2005075334.tif 000003
【図２】
2005075334.tif 000004
【図３】
2005075334.tif 000005
(57)【要約】【課題】  キャリーが普通の車で小さく運んで、現場に着いて大きな荷物を運べる。尚、雪国では強化板そのものがソリの役目をする。又、図１０を付ければ図９のように大きな車輪に変えれば手押し車を容易且つ安全に提供する。【解決方法】  図３のようにキャリーが約３分の１状態で運び、図１のように約３倍の大きさになるスライド状のキャリー。図１のように車輪を外せば、そりの状態で荷物を運べる。ソリは図４のように荷重に耐える為の強化板で軽金属でもＦＲＰでも良い。車輪などの付け替えで手押し車としても使用も可能である。【選択図】  図２
2005075332.tif 000002
【特許請求の範囲】
【請求項１】
キャリーを車に乗せる時は小さく、車から下ろして物を運ぶ時は約３倍の大きさになる。又、素材は軽金属及びＦＲＰなどの軽い物で車の取り付けと連結部の強化板の為の組立作業は簡単で約１０分ぐらいを要する事を特徴としたキャリー。
【請求項２】
キャリーは、冬道などは車輪を取り外しただけで連結部の強化板がソリの役目を成し、反対にすればテーブルにもなる。又、車輪を大きくすれば手押し車に成る事を特徴としたキャリー。
【発明の詳細な説明】
【発明の詳細な説明】
【技術分野】
【０００１】  本願発明は、箱型のキャリーを引くと箱が３つに広がり、底の部分に強化板を取り付けて連結させる。その後ろに車輪を取り付け、簡単に多くの荷物を運べるし、冬は雪の上をソリの役目で荷物を運べる車輪を変えれば手押し車になる事に関する。
【背景技術】
【０００２】  従来のキャリーは、キャリーそのものを車などで運び込む事が困難であった。又、素材が重量であると言う欠点と、大きい物を運ぶ時には大きなキャリーが必要とされ、特にキャンプなどの時に子供達の楽しみが、荷物の持ち運びでなどで父親は楽しみの前にくたくたになるなどの困難が多々あった。
【発明が解決しようとする課題】
【０００３】  従来のキャリーは、運び込む事に難点があり、大きい物を運ぶ事にも難儀したが、本願発明は、簡単に運べて大きさも約３倍になり、雪道などでは車輪を外し、ソリになる。又、大きな車輪を取り付け、収縮手押しをつければ手押しのキャリーにもなる事を容易にできるスライド式キャリーを提供する。
【課題を解決する為の手段】
【０００４】  上記目的を実現する為、本願発明は素材を軽金属もしくはＦＲＰを使用。３段式にスライドして容積を大きくする為、底の強化板は軽金属などを使用して、荷重に耐える事を成し、雪道で紐を引くだけでソリのキャリーとして、又、車輪を大き目のに取り替えると手押しキャリーとして成る事を特徴としている。
【発明を実施するための最良の形態】
【０００５】  本願発明に係る実施形態に付いては、図面にて詳細に説明する。【０００６】  図１で示したキャリーは、図３のようにスライドする事で小さくなり、図５、図６、図７、図８、などの部品を取り付ければ約１０分で組み立て可能である。【０００７】  ＦＲＰのキャンプ用キャリーは、図８の強化板を軽金属で固定しても良い。図１の車輪を取り外せば、強化板そのものが幅のあるソリの役目を果たす。【０００８】  図４のように逆さにすれば車輪を外してテーブルにする事も可能であるし、強化板そのものを単独でソリにする事もできる。【０００９】  以上本願発明は、従来のキャリーとは違い小さくたたんで大きく積む。又、車輪を外すだけで雪国はソリの状態で荷物を運べるし、又大きな車輪に変えれば手押しキャリーでも運べる優れもので、使用者に対する貢献度は顕著なものである。又、軽金属で作成すれば業務用としても貢献度は大である。
【図面の簡単な説明】
【図１】  横から見た平面図
【図２】  上部から見た平面図
【図３】  ３段階にたたんだ上部から見た平面図
【図４】  逆さに見た平面図
【図５】  車輪の心棒図
【図６】  左右の車輪図
【図７】  ゴムパッキンの部分のネジとボルト図
【図８】  強化板の横図（ソリ）
【図９】  手押し車用の平面図
【図１０】  収縮手押し（金属）
【符号の説明】
▲１▼  ＦＲＰ
▲２▼  車輪
▲３▼  ゴ厶パッキン・ネジ・ボルト
▲４▼  強化板のネジ止め箇所
▲５▼  心棒（金属）
▲６▼  強化板（軽金属かＦＲＰ）
▲７▼  ピン
【図１】
2005075332.tif 000003
【図２】
2005075332.tif 000004
【図３】
2005075332.tif 000005
【図４】
2005075332.tif 000006
【図５】
2005075332.tif 000007
【図６】
2005075332.tif 000008
【図７】
2005075332.tif 000009
【図８】
2005075332.tif 000010
【図９】
2005075332.tif 000011
【図１０】
2005075332.tif 000012
(57)【要約】【課題】  ヘッドライト・ストップランプ等の電球切れによる整備不良車も多く、事故に遭遇する事もあるということを解消するために、車内で確認できる光ファイバーを使用した電球切れモニターを提供する。【解決手段】  光ファイバー１を使用してヘッドライト２・ストップランプ３から計器盤４まで延ばし車内モニターで電球切れの確認ができるようにする。【選択図】  図１2005075331.tif 000003
2005075331.tif 000002
【特許請求の範囲】
【請求項１】
自動車のヘッドライト・ストップランプの電球切れを、光ファイバーで計器盤に表示することで、運転中でも電球切れを確認できるようにした電球切れモニター。
【発明の詳細な説明】
【発明の詳細な説明】
【技術分野】
【０００１】本発明は、光ファイバーの光伝導を利用して自動車のヘッドライト・ストップランプの電球切れを計器盤に表示することによって、外へ出て見なくても車内のモニターで電球切れが確認でき、シンプルでコスト面でも有利である。
【背景技術】
【０００２】従来は、自動車ライトの電球切れをモニターや光ファイバーを使用して計器盤に表示する車は無かった。
【発明が解決しようとする課題】
【０００３】自動車急増と共にヘッドライト・ストップランプ等の電球切れによる整備不良車も多く事故や危険な目に遭遇することも少なくないが、車内モニターで確認できれば整備不良車も減少する。又、電気回路による電球切れモニターは回路の故障が生じるという問題点があった。本発明は、この課題を解消するためになされたものである。
【課題を解決するための手段】
【０００４】以下、本発明の課題を解決するための手段について説明する。
光ファイバー１の先端をヘッドライト２・ストップランプ３ケース内に差し込み固定する。それを、保護チューウブに入れ計器盤までのばし取り付けることでライトを点灯すると同時に白色光・赤色光が計器盤４にヘッドライトストップランプの電球切れモニター５として表示するので車内にいながら確認できるようにした。
【発明を実施するための最良の形態】
【０００５】（イ）光ファイバー１の先端をヘッドライト２・ストップランプ３ケース内に固定し取り付ける。
（ロ）光ファイバーを計器盤４までボディーに固定しながら配線する。
【発明の効果】
【０００６】光ファイバーを使用することで、計器盤もシンプルでコストも低く電気回路の故障もなくヘッドライト・ストップランプの電球切れが車内で確認できることにより、片目運転や追突が減少する。
【図面の簡単な説明】
【図１】本発明の使用図である。
【図２】本発明の使用状態を示す図である。
【符号の説明】
１．光ファイバー
２．ヘッドライト
３．ストップランプ
４．計器盤
５．電球切れモニター
【図１】
2005075331.tif 000004
【図２】
2005075331.tif 000005
(57)【要約】 【課題】  鳩にとって、常に使用しているハムシやダニ等の害虫を駆除する粉体の薬剤と、人畜に無害な既存の粉末着色材とを混合した粉体を使用し、また、鳩にとって平生行っている水浴びによって鳩の体に着色するイベント用鳩の着色方法を開発することを目的とする。【解決手段】  伝書鳩、孔雀鳩等の鳩（１）を用い、該鳩の体の表面に、先ず、水入れたスプレーで噴霧して湿らせ、該表面に、薬と粉チョークとの割合を、およそ１：９に混ぜた粉体（２）をなすり付け、直ぐに、水浴びさせた後、乾燥させることを特徴とするイベント用鳩の着色方法より構成される。【選択図】            図１
2005075776.tif 000002
【特許請求の範囲】
【請求項１】
鳩を用い、該鳩の表面に、水等の液体をスプレーにて噴霧して湿らせ、その後、該表面に、のみとり粉等の薬と着色用粉チョークとの割合を、およそ１：９に混ぜた粉体をなすり付け、直ぐに、水浴びさせた後、乾燥させることを特徴とするイベント用鳩の着色方法。
【発明の詳細な説明】
【技術分野】
【０００１】
この発明は、イベント用鳩の着色方法に関するものである。
【背景技術】
【０００２】
従来、鳩は、伝書鳩や孔雀鳩等の種類が存在し、平和の象徴であるとか言われているが、その色は、白、白黒、白茶、黒茶しかなく、見た目に派手さがなく、結婚式、記念式典、道路の開通式、あるいは進水式等の慶事のイベントで、空に向けて放つても、もうひとつ、何か、艶やかさにかけていた。
【０００３】
そして、そのため、紙で作成された鳩状の風船にガスを充填して空に放ったり、あるいは、色彩豊かな紙で作成された紙吹雪を撒いたりして、イベントの盛り上がりに用いていた。
【０００４】
しかし、これらの手段では、前者は、充填したガスが大気汚染の原因となり、地球環境にとって好ましくなく、ガスが抜けて地面に落下した鳩状の風船は、掃除しなければならず、また、後者は、地面に張り付いた紙吹雪は、その都度、後の掃除が煩雑であり、両者とも決して思わしいものではなかった。
【発明の開示】
【発明が解決しようとする課題】
【０００５】
そこで、慶事のイベントで使用し、艶やかな色彩を鳩の体に施すものであり、しかし、鳩にとって、無害なものを使用するものでなければならず、また、鳩の日常の生活とかけ離れた着色のための特別な作業であってはならない。
【課題を解決するための手段】
【０００６】
そして、この発明は、鳩にとって、常に使用しているハムシやダニ等の害虫を除虫あるいは駆除する粉体の薬剤と、人畜に無害な既存の粉末着色材とを混合した粉体を使用し、また、鳩にとって平生行っている水浴びによって鳩の体に着色するイベント用鳩の着色方法を開発することを目的とする。
【発明の効果】
【０００７】
この発明によると、鳩に、着色するため、極めて美麗に染まるものであり、また、着色材も粉体で、この着色材は鳩にとって、全く害がなく、従来より行ってきた除虫あるいは駆除する粉体を使用する際に、同時に着色すればよく、煩雑さがなく、従来にない新規な着色された鳩を慶事のイベントで使用すれば、成功も、間違いのない効果を奏するものである。
【発明を実施するための最良の形態】
【０００８】
次に、この発明の最良の形態を述べると、伝書鳩、孔雀鳩を用い、該鳩の表面に、水等の液体をスプレーにて噴霧して湿らせ、その後、該表面に、のみとり粉等の薬と着色用粉チョークとの割合を、およそ１：９に混ぜた粉体をなすり付け、直ぐに、水浴びさせた後、乾燥させることを特徴とするイベント用鳩の着色方法から構成される。
【実施例】
【０００９】
この発明の一実施例を図面に従って説明すると、白色の鳩（１）を用い、該鳩の体の表面に、先ず、水入れたスプレーで噴霧して湿らせ、該表面に、薬と粉チョークとの割合を、およそ１：９に混ぜた粉体（２）をなすり付け、直ぐに、水浴びさせた後、乾燥させることを特徴とするイベント用鳩の着色方法より構成される。
【００１０】
尚、薬とは、粉体であり、ハムシやダニの除虫剤であり、例えば、商標名『シャレピン』〔佐藤製薬（株）製〕、あるいは、駆除剤であり、例えば、商標名『虫コロリ』〔アース製薬（株）〕であり、粉チョークとは、道路のラインを引く粉体であり、例えば、商標名『チョークライン用チョーク青』〔シンワ測定（株）製〕であり、赤色、黄色等複数色が存在し、市販されている。
【００１１】
そして、粉体は薬と粉チョークとを、およそ１：９の割合で混ぜたものであり、発明者の経験ではその比率が一番よく染まるものであり、１〜２週間に一度の割りで使用する。
【産業上の利用可能性】
【００１２】
この発明は、これらの着色した鳩をイベントに用いることにより、大変、美麗であり、イベントが華やかに盛り上がり、また、鳩にも害はなく、サービス業の発展を確立し、かつ寄与する点で産業上の利用可能性を有する。
【図面の簡単な説明】
【００１３】
【図１】この発明の一実施例を示すフローチャート図である。
【図２】この発明に使用された鳩を示し、（Ａ）は、伝書鳩、（Ｂ）は孔雀鳩の斜視図である。
【符号の説明】
【００１４】
１  白色の鳩
２  粉体
【図１】
2005075776.tif 000003
【図２】
2005075776.tif 000004
(57)【要約】【課題】十分な活性を有するゴキブリ忌避剤を提供すること。【解決手段】２−｛１−メチル−１−（４−メチルシクロヘキシル）エトキシ｝エタノールを含有するゴキブリ忌避剤、ゴキブリ忌避のための２−｛１−メチル−１−（４−メチルシクロヘキシル）エトキシ｝エタノールの使用、及び２−｛１−メチル−１−（４−メチルシクロヘキシル）エトキシ｝エタノールが保持されてなるシートを屋内に設置することを特徴とするゴキブリ忌避方法。【選択図】  なし【特許請求の範囲】
【請求項１】
式（１）
2005075730.tif 000005
で示される２−｛１−メチル−１−（４−メチルシクロヘキシル）エトキシ｝エタノールを含有するゴキブリ忌避剤。
【請求項２】
ゴキブリ忌避のための２−｛１−メチル−１−（４−メチルシクロヘキシル）エトキシ｝エタノールの使用。
【請求項３】
２−｛１−メチル−１−（４−メチルシクロヘキシル）エトキシ｝エタノールが保持されてなるシートを屋内に設置することを特徴とするゴキブリ忌避方法。
【発明の詳細な説明】
【０００１】
【発明の属する技術分野】
本発明は、ゴキブリの忌避に関するものである。
【０００２】
【従来の技術】
テルピネオール等の特定の構造を有するモノテルペノイド化合物がゴキブリ忌避活性を有することが知られている（例えば特許文献１参照）。
【０００３】
【特許文献１】
特公昭６１−１５０４１号公報
【０００４】
【発明が解決しようとする課題】
しかしながら、これらの化合物のゴキブリ忌避活性は必ずしも十分ではない場合があり、さらに十分な活性を有するゴキブリ忌避剤の開発が望まれている。
【０００５】
【課題を解決するための手段】
本発明は、高活性のゴキブリ忌避剤及びゴキブリ忌避方法を見出すべくしてなされたものであり、２−｛１−メチル−１−（４−メチルシクロヘキシル）エトキシ｝エタノールを含有するゴキブリ忌避剤、ゴキブリ忌避のための２−｛１−メチル−１−（４−メチルシクロヘキシル）エトキシ｝エタノールの使用、及び２−｛１−メチル−１−（４−メチルシクロヘキシル）エトキシ｝エタノールが保持されてなるシートを屋内に設置することを特徴とするゴキブリ忌避方法を提供するものである。
【０００６】
【発明の実施の形態】
本発明において用いられる２−｛１−メチル−１−（４−メチルシクロヘキシル）エトキシ｝エタノール（以下、本化合物と記す。）は、式（１）で示される化合物である。
2005075730.tif 000002
【０００７】
本化合物はα−ピネンとエチレングリコールとを反応させることによって得られる２−｛１−メチル−１−（４−メチル−３−シクロヘキセニル）エトキシ｝エタノールを、更に水素添加することによって製造することができる。
【０００８】
本発明のゴキブリ忌避剤は、本化合物そのものであってもよいが、通常は本化合物が適当な担体に保持された形態、例えば本化合物が保持されてなるシートが挙げられる。樹脂への練り込み製剤、乳剤、油剤、水和剤、フロアブル製剤、粒剤、粉剤、エアゾール製剤、加熱蒸散剤等の形態をとることも可能である。
【０００９】
本発明のゴキブリ忌避剤が、本化合物が保持されてなるシートの製剤形態をとる場合、該シートの材質は特に限定されず、たとえば紙（濾紙等）、合成樹脂（ポリエチレン、ポリプロピレン等）、及び布（不織布等）が挙げられる。シートに保持される本化合物の量は、１ｍ２あたり通常０．０００５〜２０ｇ、好ましくは０．００１〜１０ｇ程度である。
【００１０】
本発明のゴキブリ忌避剤が乳剤、油剤等の製剤形態をとる場合、該製剤中の本化合物の量は、通常０．０１〜１０重量％程度である。
【００１１】
本発明のゴキブリ忌避剤は、その使用に際してゴキブリの侵入を防止したい場所又はゴキブリの潜伏を防止したい場所、例えば一般家屋、倉庫、食堂等のゴキブリ侵入区域において処理することにより使用される。即ち、本発明のゴキブリ忌避剤は、その製剤形態に応じて、散布、噴霧、塗布、載置や貼付による設置等の手段により施用することができ、家具部材等の材質に本発明のゴキブリ忌避剤を塗布、含浸、混練、滴下等の方法で処理することもできる。
本化合物をゴキブリの忌避に用いる場合の本化合物の量は、ゴキブリの侵入を防止したい場所又はゴキブリの潜伏を防止したい場所１ｍ２あたり通常０．０００５〜２０ｇ、好ましくは０．００１〜１０ｇ程度である。
【００１２】
本発明のゴキブリ忌避剤は、チャバネゴキブリ、クロゴキブリ、ワモンゴキブリ、トビイロゴキブリ、コバネゴキブリ等の各種ゴキブリを忌避するのに有効である。
【００１３】
【実施例】
以下、製造例、試験例により本発明をさらに詳しく説明するが、本発明はこれらの例に限定されるものではない。
【００１４】
まず、本発明のゴキブリ忌避剤の製造につき製造例を示す。
製造例１
本化合物のエタノール溶液（１重量％）１０ｍｌを、不織布１ｍ２に塗布し、乾燥させて、シート状の本発明のゴキブリ忌避剤を得る。
【００１５】
製造例２
本化合物のアセトン溶液（１重量％）１０ｍｌを、濾紙１ｍ２に塗布し、乾燥させて、シート状の本発明のゴキブリ忌避剤を得る。
【００１６】
製造例３
本化合物１ｇとエタノール１９ｇとの混合物をエアゾール缶に入れ、エアゾールバルブを装着した後、エアゾールバルブからジメチルエーテル８０ｇを充填して、エアゾールの本発明のゴキブリ忌避剤を得る。
【００１７】
次に、本発明のゴキブリ忌避剤のゴキブリ忌避活性を試験例に示す。
試験例
６ｃｍ×９ｃｍの濾紙に、所定濃度の本化合物を含有するアセトン１．０ｍｌを塗布、乾燥して得られたゴキブリ忌避剤（シート製剤）を折り曲げて、１辺が３ｃｍの三角形を底辺とする筒状の三角柱とした。また、６ｃｍ×９ｃｍの濾紙に、アセトン１．０ｍｌを塗布、乾燥して得られたゴキブリ忌避剤（シート製剤）を折り曲げて、１辺が３ｃｍの三角形を底辺とする筒状の三角柱とした。
底面３８ｃｍ×２５ｃｍ、高さ７ｃｍのプラスチック容器内に、上記三角柱を２個ずつ入れて、シェルター（ゴキブリの隠れ処）とし、さらにチャバネゴキブリ成虫２０頭（雄雌各１０頭）を餌、水とともに入れ、８日後にゴキブリが居る場所を観察した（２反復）。
なお、比較対照として本化合物に代えてα−テルピネオール（式（２）で示される化合物）を用いて同様に試験を行なった。
2005075730.tif 000003
結果を表１に示す。
【００１８】
【表１】
2005075730.tif 000004
表中、Ａは薬剤を処理していないシェルターに隠れていたゴキブリの数、Ｂは薬剤を処理したシェルターに隠れていたゴキブリの数、Ｃはシェルター外に居たゴキブリの数をそれぞれ表す。
【００１９】
α−テルピネオールを処理したシェルターは、無処理のシェルターと比べて隠れているゴキブリの数があまり変わらないのに対して、本化合物を処理したシェルターにはほとんどゴキブリが隠れていないことが表１からわかる。
【００２０】
【発明の効果】
本発明のゴキブリ忌避剤は、優れたゴキブリ忌避効果を示す。
(57)【要約】      （修正有）【課題】従来の堆肥の持つ、容量が嵩張る、臭う、汚い、風に飛散する等の欠点を解決した高付加価値の堆肥を提供する。【解決手段】堆肥を成型器に投入し、利用目的に応じて設定された所定の圧力を加え、高密度の堆肥ブロックに成型する。成形器からの浸出液は、濃度、成分などを調整し液肥として利用する。【選択図】なし【特許請求の範囲】
【請求項１】
従来の方法で製造された堆肥を加圧してブロック状に成型した堆肥
【発明の詳細な説明】
【発明の詳細な説明】
【技術分野】
【０００１】  本発明は堆肥の二次加工に関する。
【背景技術】
【０００２】  従来の堆肥は、容量が嵩張る、汚い、臭う、水分調節に長時間を要する、風で飛散する等の欠点がある。また、従来の堆肥をペレット状に二次加工したものもあるが、容量が嵩張る欠点は解決出来ていない。
【発明が解決しようとする課題】
【０００３】  従来の堆肥にあっては、容量が嵩張るので運搬にコストがかかりすぎる。臭う、汚い等の非衛生的な物質のため取り扱いにくい。製造過程での発酵熱だけで水分を蒸発させるので水分調節に時間がかかりすぎる。耕地に散布施肥した時期に晴天で乾燥が続いた場合に堆肥が乾燥し飛散する等の問題点がある。
本発明は、これらの問題点を解決し、高密度でコンパクトな堆肥、臭わない衛生的な堆肥、管理された水分率の堆肥、耕地に散布後飛散しない堆肥を提供することを目的としている。
【課題を解決するための手段】
【０００４】  上記目的を達成するために、従来の方法で製造された堆肥を成型器に投入し所定の圧力を加え、高密度の堆肥のブロックを製造することを手段とする。
【発明を実施するための最良の形態】
【０００５】  従来の方法で製造された堆肥の完熟度は施肥者の要求する水準に達したものが要求され、水分、形状、比重などは加圧成型の条件に合うように前処理調整する。【０００６】  成型器は、二次加工されたブロック堆肥の利用目的、輸送距離等に応じて形状、寸法を決定する。【０００７】  成型の為に加える圧力は、二次加工されたブロック堆肥の利用目的及び要求される密度に応じて設定される。【０００８】  成型の為に加えられる圧力により、成型器より浸出液が出るがこれは回収し、濃度、成分等を調整して液肥として利用する。
【発明の効果】
【０００９】  本発明は、以上説明したような製造物で以下のような効果をもたらす。
【００１０】  従来、堆肥は嵩張るという欠点をもっていたが、高密度ブロック化することにより減容化することで解決できる。
【００１１】  従って、高付加価値製造物として輸送コストが易くなり、従来困難であった長距離輸送が可能になる。
【００１２】  ブロック堆肥は、形状、寸法を自在に調節できる、取り扱いが容易である、保管に便利である、風に飛散しない、高密度ブロックであるため肥料効果が長期間持続するので施肥回数を減らせる等の効果をもたらす。
(57)【要約】      （修正有）【課題】羽子板の形をしたお年玉袋に、同型の板紙を内蔵して、ピンとした羽子板のお年玉袋を提供する。【解決手段】上端中央部から切り込みを入れた羽子板の形の板紙の裏の下部全面に糊を塗布して、羽子板状の封筒を形成する型抜紙５の一方の面６に貼り合わせる。次に糊しろ９を一方の面側に折って、糊を塗布する。更に、板紙の表の他方の面の全面に糊を塗布して型抜紙の他方の面と貼り合わせて、封筒の底を形成する羽子板のお年玉袋。【選択図】  図１
2005075464.tif 000002
【特許請求の範囲】
【請求項１】
（イ）  羽子板の形の板紙（１）の上端中央部から切り込み（２）を施す。
（ロ）  板紙（１）と同じ型で、羽子板状の封筒を形成する型抜紙（５）は、Ａ面（６）、Ｂ面（７）、ベロ（８）、糊しろ（９）から成る。
（ハ）  板紙（１）の裏の下部全面（３）に糊を塗布して、型抜紙（５）のＡ面（６）に貼り合わせる。
（ニ）  糊しろ（９）をＡ面側に折って糊を塗布する。
（ホ）  板紙（１）の表の下部全面（４）に糊を塗布して、型抜紙（５）のＢ面（７）を貼り合わせる。
上記、（イ）（ロ）（ハ）（ニ）（ホ）によって構成される羽子板のお年玉袋。
【発明の詳細な説明】
【技術分野】
【０００１】  本発明はお年玉袋の構造に関する。
【背景技術】
【０００２】  従来の羽子板の形のお年玉袋は、芯紙を内蔵していない為、柄の部分が折れ曲がってしまい羽子板とは云い難く、お正月の縁起物にはならない。
【発明の開示】
【発明が解決しようとする課題】
【０００３】  羽子板の形をしたお年玉袋に、同型の板紙を内蔵せしめて、ピンとした羽子板のお年玉袋を提供しようとするものである。
【課題を解決しようとする課題】
【０００４】  板紙（１）の裏の下部全面（３）、表の下部全面（４）に糊を塗布して、羽子板状の封筒を形成する型抜紙（５）と貼り合わせる事によって封筒の底を形成するだけでなく、柄の部分も折れ曲がらずピンとする。
【発明の効果】
【０００５】  男子は凧あげ女子は羽子板の羽根つきが、日本の伝統的なお正月文化である。
羽子板のお年玉袋は、女子だけでなく、家中にお正月気分を一層盛り上げる効果が大きい。
【発明を実施するための最良の形態】
【０００６】  羽子板の形の封筒の中に、同型の板紙を内蔵せしめた場合、ピンとはするが指が容易に入らない欠陥がある。
そこで、板紙（１）の上端中央部から切り込み（２）を入れると、普通の封筒のように容易に指を差し込む事が出来る。
【実施例１】
【０００７】  お年玉袋として使用した後も、多色印刷を施したミニ羽子板はお正月のインテリアにして楽しめる。
【産業上の利用可能性】
【０００８】  本発明の羽子板のお年玉袋は、女子に最適である。
【図面の簡単な説明】
【０００９】
【図１】羽子板状の封筒を形成する型抜紙（５）の展開図。
【図２】羽子板状の封筒に内蔵する羽子板の形の板紙（１）の平面図。
【図３】完成した羽子板状のお年玉袋の裏の平面図。
【符号の説明】
【００１０】１．羽子板の形の板紙
２．板紙の切り込み
３．板紙の裏の下部全面
４．  〃  表の  〃
５．羽子板状の封筒を形成する型抜紙
６．型抜紙のＡ面
７．  〃    Ｂ面
８．  〃    ベロ
９．  〃    糊しろ
【図１】
2005075464.tif 000003
【図２】
2005075464.tif 000004
【図３】
2005075464.tif 000005
【手続補正書】
【提出日】平成16年4月30日(2004.4.30)
【手続補正１】
【補正対象書類名】特許請求の範囲
【補正対象項目名】補正の内容のとおり
【補正方法】変更
【補正の内容】
2005075464.tif 000006
2005075464.tif 000007
2005075464.tif 000008
2005075464.tif 000009
2005075464.tif 000010
【手続補正書】
【提出日】平成16年7月17日(2004.7.17)
【手続補正２】
【補正対象書類名】手続補正書
【補正対象項目名】手続補正１
【補正方法】変更
【補正の内容】
【手続補正１】
【補正対象書類名】特許請求の範囲
【補正対象項目名】全  文
【補正方法】変更
【補正の内容】
【書類名】                  特許請求の範囲
【請求項１】
（イ）  羽子板の形の板紙（１）の上端から切り込み（２）、若しくは切り欠き（１０）切り欠き（１１）を施す。
（ロ）  板紙（１）と同じ型で、羽子板状の封筒を形成する型抜紙（５）は、Ａ面（６）、Ｂ面（７）、ベロ（８）、糊しろ（９）から成る。
（ハ）  板紙（１）の裏の下部全面（３）に糊を塗布して、型抜紙（５）のＡ面（６）に貼り合わせる。
（ニ）  糊しろ（９）をＡ面側に折り、Ｂ面（７）が貼り合わさるように糊しろ（９）に糊を塗布する。
（ホ）  板紙（１）の表の下部全面（４）に糊を塗布して、型抜紙（５）のＢ面（７）を貼り合わせる。
上記、（イ）（ロ）（ハ）（ニ）（ホ）によって構成される、紙若しくはプラスチックの羽子板のお年玉袋。


【手続補正３】
【補正対象書類名】手続補正書
【補正対象項目名】手続補正２
【補正方法】追加
【補正の内容】
【手続補正２】
【補正対象書類名】明細書
【補正対象項目名】０００９
【補正方法】変更
【補正の内容】
【０００９】〔図１〕
羽子板状の封筒を形成する型抜紙（５）の展開図。
〔図２〕
羽子板状の封筒に内蔵する羽子板の形の板紙（１）の平面図。
〔図３〕
完成した羽子板状のお年玉袋の裏の平面図。
〔図４〕
上端中央から切り欠き（１０）を施した羽子板の形の板紙平面図。
〔図５〕
上端の左右両端に切り欠き（１１）を施した羽子板の形の板紙平面図。


【手続補正４】
【補正対象書類名】手続補正書
【補正対象項目名】手続補正３
【補正方法】追加
【補正の内容】
【手続補正３】
【補正対象書類名】明細書
【補正対象項目名】００１０
【補正方法】変更
【補正の内容】
【００１０】  １．羽子板の形の板紙
２．板紙の切り込み
３．板紙の裏の下部全面
４．板紙の表の下部全面
５．羽子板状の封筒を形成する型抜紙
６．型抜紙のＡ面
７．型抜紙のＢ面
８．型抜紙のベロ
９．型抜紙の糊しろ
１０．羽子板の形の板紙の切り欠き
１１．羽子板の形の板紙の切り欠き


【手続補正５】
【補正対象書類名】手続補正書
【補正対象項目名】手続補正４
【補正方法】追加
【補正の内容】
【手続補正４】
【補正対象書類名】図面
【補正対象項目名】全  図
【補正方法】変更
【補正の内容】
【図１】
2005075464.tif 000011
【図２】
2005075464.tif 000012
【図３】
2005075464.tif 000013
【図４】
2005075464.tif 000014
【図５】
2005075464.tif 000015
(57)【要約】【課題】  外国人、特に国際結婚し日本で生活している人達が書ける横型横書きで、日本語、外国語等全ての文字で冠婚葬祭に参加できる横型横書折り差し込み冠婚葬祭袋及びパーテイ、招待状、クリスマスカード、年賀状等々を提供する。【解決手段】  長方形状の本体シート（１）の折曲げと、のり付け部からなる横型横書折り差込み冠婚葬祭袋であって、本体シート（１）の左右方向の中心線折り曲げ部で同幅に裏側に折り曲げ、そしてのり代部（２）の折り曲げ部で裏側方向に折り曲げ、のり付けする。更に上下方向の中心部折り曲げ部で同幅で裏側方向に折り曲げる。そして本体シート（１）の蓋部（３）を折り曲げ部で折り、本体シート（１）の差込み口（４）に差込み部（５）を設け差し込むことを特徴とする。【選択図】    図１
2005075466.tif 000002
【特許請求の範囲】
【請求項１】
長方形状の本体シート（１）の折り曲と、のり付け部から成る冠婚葬祭袋であって、本体シート（１）の左右方向の中心線折り曲げ部より同幅に裏側に折り曲げ、のり代部（２）を折り曲げ部で裏側方向に折り曲げのり付けする、更に上下方向に中心部折り曲げ部より同幅で裏側方向に折曲げる、そして本体シート（１）の蓋部（３）を折り曲げ部で折り、本体シート（１）の差込み口（４）に差込み部（５）を設け差込む横型横書折り差込み冠婚葬祭袋。
【請求項２】
長方形状の本体シート（１）に折り曲げ線を数箇所設け、のり代部（２）、蓋部（３）、差込み口（４）、差込み部（５）、金の確認窓（６）、切り込み部（７）を設け、折り曲げ部で折る横型横書きの冠婚葬祭袋であり、横書きで書ける請求項１記載の横型横書折り差込み冠婚葬祭袋である。
【請求項３】
世界の人達が横型横書きで、日本語、外国語等、全ての文字で冠婚葬祭に参加出来る請求項１・２記載の横型横書折り差込み冠婚葬祭袋、及びパーテイ、招待状、クリスマスカード、年賀状等々も利用できる。
【発明の詳細な説明】
【発明の詳細な説明】
【技術分野】
【０００１】  この発明は、冠婚葬祭袋及びパーテイ、招待状、クリスマスカード、年賀状に関するものである。
【背景技術】
【０００２】  従来、冠婚葬祭袋は殆んど縦型縦書きの技術が知られている（例えば、特許公開文献１参照）。【０００３】
【特許公開物件１】
特開平２００２−１２８０９０号公報
【発明が解決しようとする課題】
【０００４】  これは次のような欠点があった。
（イ）  従来、冠婚葬祭袋は縦型で毛筆で縦書きで書くのが伝統であった。
（ロ）  外国人、国際結婚者にとっては縦書きで書くのは不可能である。
（ハ）  最近では縦書きは少なくなり、横書きが多い。
（ニ）  漢字を使用しない国の人には縦書きは出来ない。
本発明は、これらの欠点を除くためになされたものである。
【課題を解決するための手段】
【０００５】  長方形の本体シート（１）の折り曲げ部と、のり代部（２）を設ける。
そして、本体シート（１）には蓋部（３）、差込み口（４）、差込み部（５）、金の確認窓（６）、そして切り込み部（７）を設ける。
本体シート（１）に左右方向を中心線折り曲げ部より同幅に裏側に折り曲げ、のり代部（２）を折り曲げてのり付けする。更に上下方向の中心線折り曲げ部で同幅に裏側方向に折り曲げる。
本体シート（１）の蓋部（３）を折り曲げ部で折り曲げ、差込み部（５）を差込み口（４）に差込む。
本発明は、以上のような構成よりなる横型横書き折り差込み冠婚葬祭袋である。
【発明を実施するための最良の形態】
【０００６】  以下、本発明の実施の形態に付いて説明する。
（イ）  本体シート（１）の左右方向の中心線折リ曲げ部を同幅に裏側に折り曲げる。
（ロ）  のり代部（２）の折リ曲げ部で裏側に折り曲げ、のりを付けて貼る。
（ハ）  本体シート（１）の上下方向の中心線折リ曲げ部を同幅に裏側に折り曲げる。
（ニ）  本体シート（１）の蓋部（３）を折リ曲げ部で折る。
（ホ）  本体シート（１）の差込み口（４）に差込み部（５）を挿入する。
本発明は以上のような構造で、各種形状に切断された本体シート（１）は、点線の折リ曲げ部を上記順序に従って折り曲げ、のり付けする事により内袋を必要としない、冠婚葬祭袋になる。そして、紙幣の他にパーテイ、招待状、クリスマスカード、年賀状等々にも使用できる。
【発明の効果】
【０００７】  従来、文字は縦型、縦書きが普通あったが、近年横書きが多くなってきている。
冠婚葬祭袋は通常は縦書き毛筆であるが、日本人、又日本にいる外国人、又国際結婚者も横型横書きで漢字又は英語等でも書け、世界の人達も冠婚葬祭に参加できる効果が発生する。又、お金の確認窓で紙幣の確認も容易に出来、紙幣の入れ忘れも完全に防止でき、又紙幣の他にパーテイ、招待状、クリスマスカード、年賀状等々にも利用できる。
【図面の簡単な説明】
【図１】  本発明の各種形状に切断した一部を平面図である。
【図２】  本発明の冠婚葬祭袋を組んだ状態である。
【符号の説明】
１、  本体シート
２、  のり代部
３、  蓋部
４、  差込み口
５、  差込み部
６、  金の確認窓
７、  切り込み部
【図１】
2005075466.tif 000003
【図２】
2005075466.tif 000004
(57)【要約】【課題】  ペットボトルに口を当てて飲むとき、内部が負圧にならずスムーズに吸い飲みができるようにする。また、コップへ注ぐにも比較的スムーズとなる。【解決手段】  ペットボトル（１）の口部（２）の内壁に、突起状給気口（３）を有する弦月状仕切板（４）を設けたことを特徴とする。【選択図】  図１
2005075467.tif 000002
【特許請求の範囲】
【請求項１】
ペットボトル（１）の口部（２）の内壁に、突起状給気口（３）を有する弦月状仕切板（４）を設けたペットボトルの口部構造。
【発明の詳細な説明】
【発明の詳細な説明】
【技術分野】
【０００１】  この発明は、ペットボトルの口部の内壁に突起状給気口を有する弦月状仕切板を設けたペットボトルの口部構造に関するものである。
【背景技術】
【０００２】  従来のペットボトルの口部は、単なる円筒状であった。
【発明が解決しようとする課題】
【０００３】  これには、次のような欠点があった。
（ア）  口部に唇を当てて飲むとき、容器内が負圧になって飲みづらかった。
（イ）  コップに注ぐときも空気が入るたびにどっと出るなど不安定であった。
この発明は、これらの欠点を除くためになされたものである。
【課題を解決するための手段】
【０００４】  ペットボトル（１）の口部（２）の内壁に、突起状給気口（３）を有する弦月状仕切板（４）を設けたペットボトルの口部構造。
【発明を実施するための最良の形態】
【０００５】  以下、この発明の実施の形態について説明する。
ペットボトル（１）の口部（２）の内壁に弦月状仕切板（４）を設ける。弦月状仕切板（４）は突起状給気口（３）を有する。
【発明の効果】
【０００６】  上唇を弦月状仕切板（４）に当て、この際、突起状給気口（３）をふさがないようにして吸い飲みすると、突起状給気口（３）から空気が入り、スムーズに、しかも連続して飲むことができる。
また、コップへ注ぐときも、弦月状仕切板（４）の開いた方を下にして注ぐと突起状給気口（３）から空気が入り、スムーズに注ぐことができる。
【図面の簡単な説明】
【図１】この発明の斜視図である。
【図２】この発明の上面図である。
【図３】この発明の断面図である。
【符号の説明】
１  ペットボトル
２  口部
３  突起状給気口
４  弦月状仕切板
【図１】
2005075467.tif 000003
【図２】
2005075467.tif 000004
【図３】
2005075467.tif 000005